(57)【特許請求の範囲】
【請求項１】
光源と、前記光源にて照明される表示素子と、前記表示素子の周囲に位置する指標部を備えた文字板と、前記光源からの光を導くとともに前記文字板の板面と平行な平面を備えた円弧状の導光体と、前記導光体、前記表示素子及び前記文字板を備えたケース体と、前記ケース体の外周を迂回するとともに前記指標部を指示する指示部を備えた指針と、前記ケース体の背後に位置するとともに前記指針を回動させる駆動装置と、を備えた指針式計器装置において、前記光源からの光を受光する受光面を１つ前記導光体に設け、前記表示素子に前記光源の光を照射する第１の照射部、前記文字板に前記光源の光を照射する第２の照射部及び前記指針に前記光源の光を照射する第３の照射部を前記ケース体に設けたことを特徴とする指針式計器装置。
【請求項２】
前記導光体は、前記照射部に対応する輝度調整部を備えてなることを特徴する請求項１に記載の指針式計器装置。
【請求項３】
前記輝度調整部が微細な凹部および、または凸部からなることを特徴とする請求項２に記載の指針式計器装置。
【請求項４】
前記第１、第２及び第３の照射部を一体に形成した開口を前記ケース体に設けたことを特徴する請求項１に記載の指針式計器装置。
【請求項５】
前記第２の照射部と前記第３の照射部とを一体に形成した第２の開口を前記ケース体に設けたことを特徴する請求項１に記載の指針式計器装置。
【発明の詳細な説明】
【技術分野】
【０００１】
本発明は、例えば、指針と文字板とを備えた指針式計器装置に関するもので、特に前記指針の回動中心に表示器を備えた指針式計器装置に関する。
【背景技術】
【０００２】
従来の指針式計器装置として、下記特許文献１記載のものが知られている。従来の指針式計器装置は、表示器と、この表示器の周囲に位置する指標部を備えた文字板と、前記指標部を指示する指針と、前記表示器と前記指針とをそれぞれ照明する光源と、前記各光源の光を前記表示器と前記指針とをそれぞれ導く導光体と、前記表示器の背面側に配置され前記指針を回動させる駆動装置とを備えた構成であった。
【特許文献１】特開２００６−１１８８９２号公報
【発明の開示】
【発明が解決しようとする課題】
【０００３】
しかしながら、このような指針式計器装置にあっては、表示器照明用と指針照明用とに、それぞれ専用に光源と導光体を設けなければならなかった。また、文字板照明用に、別途光源も設けなければならなかった。よって、従来の指針式計器装置は、部品点数が多く、コストダウンを図ることができないといった問題点があった。
【０００４】
そこで、本発明は、これらの問題に鑑みなされたものであり、照明用の部品点数を削減し、コストダウンを図ることが可能な指針式計器装置を提供するものである。
【課題を解決するための手段】
【０００５】
本発明は、光源と、前記光源にて照明される表示素子と、前記表示素子の周囲に位置する指標部を備えた文字板と、前記光源からの光を導くとともに前記文字板の板面と平行な平面を備えた円弧状の導光体と、前記導光体、前記表示素子及び前記文字板を備えたケース体と、前記ケース体の外周を迂回するとともに前記指標部を指示する指示部を備えた指針と、前記ケース体の背後に位置するとともに前記指針を回動させる駆動装置と、を備えた指針式計器装置において、前記光源からの光を受光する受光面を１つ前記導光体に設け、前記表示素子に前記光源の光を照射する第１の照射部、前記文字板に前記光源の光を照射する第２の照射部及び前記指針に前記光源の光を照射する第３の照射部を前記ケース体に設けたものである。
【００１１】
また、本発明は、前記導光体は、前記照射部に対応する輝度調整部を備えてなるものである。
【００１２】
また、本発明は、前記輝度調整部が微細な凹部および、または凸部からなるものである。
【００１３】
また、本発明は、前記第１、第２及び第３の照射部を一体に形成した開口を前記ケース体に設けたものである。
【００１４】
また、本発明は、前記第２の照射部と前記第３の照射部とを一体に形成した第２の開口を前記ケース体に設けたものである。
【発明の効果】
【００１５】
本発明によれば、所期の目的を達成でき、表示器、指針、文字板照明用の部品点数を削減し、コストダウンを図ることが可能な指針式計器装置を提供することができる。
【発明を実施するための最良の形態】
【００１６】
以下、添付図面に基づいて本発明の実施形態を説明する。図１は、本発明の実施形態を示すものである。
【００１７】
図１において、本実施形態による指針式計器装置１は、表示器２と、文字板３と、指針４と、駆動装置５および回路基板６とで、主に構成されている。なお、１６は、合成樹脂からなる見返しであり、開口部１６ａを通して指針式計器装置１を視認するものである。
【００１８】
表示器２は、車両に関する情報などを表示するものであり、表示素子７と、照明装置８とで構成されている。
【００１９】
文字板３は、光を透過可能な合成樹脂からなり、表示器２に配設されている。文字板３は、その中央に表示素子７が露出する貫通孔３ｂを備えており、また、表示器２の表示素子７（貫通孔３ｂ）の周囲に位置する目盛や文字などからなる指標部３ａを備えている。本実施形態では、指標部３ａは光透過性の塗料によって形成されており、地の部分は遮光性の塗料によって形成されている。
【００２０】
指針４は、指標部３ａを指示するものであり、先端側の指示部４ａと、駆動装置５側の固定部４ｂとは、それぞれ異なる合成樹脂を成形によって一体に形成したものである。指示部４ａが光を透過可能な合成樹脂で、固定部４ｂが光不透過の合成樹脂からなる。指針４は、固定部４ｂで駆動装置５に設けられた指針軸５ａに固定されている。本実施形態では、指示部４ａは、図２で示すように、鉤型をしており、表示器２の外周を迂回している。
【００２１】
駆動装置５は電動機であり、指針４を回動させるものである。本実施形態では、ステッピングモータを採用している。
【００２２】
回路基板６はガラスエポキシ樹脂などの硬質の絶縁材料に銅などの導電部材からなる図示しない配線パターンを備えたものである。
【００２３】
表示素子７は液晶表示素子であり、背後から透過照明されるものである。
【００２４】
照明装置８は、ケース体９と、光源１０と、導光体１１とで、主に構成されている。なお、１２は、薄い板状の反射部材であり、導光体１１からの光を再び導光体１１へ良好に反射するものである。
【００２５】
光源１０は、例えば、発光ダイオードである。表示素子７と、文字板３及び指針４を照明するものである。なお、図２中、１０ａは光源１０と電気的に接続する回路基板である。この回路基板１０ａは、ポリイミドなどの可撓性の絶縁材料からなるものである。また、この回路基板１０ａには図示しない配線パターンが施されてある。１０ｂは光源１０で発生した熱を拡散させる放熱用の金属板である。金属板１０ｂの材質としてはアルミニウムが好適である。
【００２６】
導光体１１は、光を透過可能な合成樹脂からなり、光源１０からの光を表示素子７と、文字板３及び指針４に導くものである。また、導光体１１は、正面視で１つの平面を備えた円弧状であり、この単一の平面が光源１０からの光を受光する受光面１１ａを構成している。
【００２７】
ケース体９は、第１のケース体９ａと第２のケース体９ｂとから構成されており、第１のケース体９ａと第２のケース体９ｂとは白色の合成樹脂からなる。ケース体９は、表示素子７と、光源１０及び導光体１１とを備えている。また、第１のケース体９ａに文字板３を配設し、接着剤などで固定してある。なお、本実施形態では、ケース体９は光源１０を備えていたが、本実施形態に限定されるものではなく、例えば、光源１０を回路基板６に設けるとともに、回路基板６に設けた光源１０から光を良好に導くことができるように、導光体１１を光源１０に向けて延長形成したものであってもよい。
【００２８】
第１のケース体９ａは、表示素子７に光を照射する第１の照射部９ｃと、第１の照射部９ｃの周辺に文字板３を照射する第２の照射部９ｄとを備えている。また、第２のケース体９ｂは、指針４を照射する第３の照射部９ｅを備えている。
【００２９】
第１の照射部９ｃ、第２の照射部９ｄ及び第３の照射部９ｅは、すべて貫通した孔である。なお、表示素子７に光を照射する第１の照射部９ｃには、導光体１１と表示素子７との間に複数の光学部材を備えている。本実施形態では、３つの光学部材を用いており、それぞれ導光体１１側から光拡散シート１３、プリズムシート１４、１５である。これらの光学部材１３〜１５は、導光体１１からの光を良好に表示素子７に照射するためのものである。
【００３０】
また、ケース体９に設けた第１の照射部９ｃ、第２の照射部９ｄ及び第３の照射部９ｅから照射する光は、運転者が表示素子７、指標部３ａおよび指針４を視認したときに輝度のバラツキなどを抑えるために、導光体１１に設けた輝度調整部１１ｂにて、各々異なる透過率の表示素子７、指標部３ａおよび指針４に対して異なる照明輝度で照射できるように調整されている。輝度調整部１１ｂは複数の微細な凹部および凸部からなるものであり、微細な凹部と凸部の大きさや形状および数を調整することによって、照明輝度を調整するものである。輝度調整部１１ｂを設けた場所は、導光体１１の第１の照射部９ｃ、第２の照射部９ｄ及び第３の照射部９ｅにそれぞれ対応する部分の導光体１１をはさんだ反対側に設けてある。なお、輝度調整部１１ｂは、複数の微細な凹部および凸部からなるものに限定されるものではなく、複数の微細な凹部のみ、あるいは、複数の微細な凸部のみで形成したものであってもよい。
【００３１】
以上のように構成したことによって、表示素子７と文字板３と指針４との照明光源を兼ねることができ、各々専用の照明に関係する部品が不要となるとともに、組み立ても容易となり、コストダウンを図ることができる。
【００３２】
また、表示素子７の透過率、文字板３（指標部３ａ）の透過率、指針４の透過率はそれぞれ異なるが、それぞれに対応する照明の輝度を輝度調整部１１ｂによって変えることにより、それぞれの輝度バランスを最適にすることが可能となる。
【００３３】
次に本発明の第２実施形態を、図４、５を用いて説明する。なお、第１実施形態と同一および相当個所には同一符号を付してその詳細な説明は省略する。
【００３４】
第１実施形態では、第２のケース体９ｂが指針４を照射する第３の照射部９ｅを備えていたが、本実施形態では、第１のケース体９ａに、第１の照射部９ｃと第２の照射部９ｄに加えて、第３の照射部９ｅ１を設けたものです。この第３の照射部９ｅ１は、第２の照射部９ｄの外側に、第２の照射部９ｄを囲むように設けられています。この第３の照射部９ｅ１は、文字板３に覆われておらず、露出しており、導光体１１からの光を直接指針４の指示部４ａ１に照射するものです。
【００３５】
また、第３の照射部９ｅ１を第１のケース体９ａに設けたことによって、指示部４ａ１が小型化し、固定部４ｂ１は、図５で示すように、鉤型をしており、表示器２の外周を迂回している。固定部４ｂ１は、光を伝える必要がないので、材料に透明な合成樹脂を用いずに金属などを用いることができる。材料に合成樹脂よりも剛性の高い金属を用いることで、結果的に合成樹脂に比べて重量を軽くすることができる。指針４の軽量化を図ることができ、従来よりも指針４を回転する力の弱い駆動装置５を用いることができる。
【００３６】
次に本発明の第３実施形態を、図６を用いて説明する。なお、前記各実施形態と同一および相当個所には同一符号を付してその詳細な説明は省略する。
【００３７】
本実施形態では、第１のケース体９ａと第２のケース体９ｂとの間に、第３の照射部９ｅ２を設けたものです。この第３の照射部９ｅ２は、ケース体９の円弧状の外周面沿って設けられている。この第３の照射部９ｅ２も露出しており、導光体１１からの光を直接指針４の指示部４ａに照射するものです。
【００３８】
なお、本実施形態の場合は、第３の照射部９ｅ２の輝度調整部１１ｂは、導光体１１の円弧状の外周面に形成されている。
【００３９】
次に本発明の第４実施形態を、図７、８を用いて説明する。なお、前記各実施形態と同一および相当個所には同一符号を付してその詳細な説明は省略する。
【００４０】
前記各実施形態では、第１の照射部９ｃと第２の照射部９ｄと第３の照射部９ｅとを、それぞれ個別に形成していた。特に第２実施形態では、第１のケース体９ａに、それぞれ個別に形成していた。しかし、本実施形態では、表示素子７に光を照射する第１の照射部９ｃと、文字板３を照射する第２の照射部９ｄ及び指針４を照射する第３の照射部９ｅとを一体に形成した開口９ｆを設けたものである。なお、開口９ｆの指針４に光を照射する部分は、文字板３に覆われておらず、露出しており、導光体１１からの光を直接指針４の指示部４ａに照射するものです。
【００４１】
このように構成したことによって、表示素子７と文字板３及び指針４とで、個別に区切らないことで、多様な文字板意匠に対応することが可能となり、部品の共通化に寄与することができる。
【００４２】
次に本発明の第５実施形態を、図９、１０を用いて説明する。なお、前記各実施形態と同一および相当個所には同一符号を付してその詳細な説明は省略する。
【００４３】
第１〜第３実施形態では、第１の照射部９ｃと第２の照射部９ｄと第３の照射部９ｅとを、それぞれ個別に形成していた。また、第４実施形態では、第１の照射部９ｃと、第２の照射部９ｄ及び第３の照射部９ｅとを一体にした開口９ｆを形成していた。
【００４４】
本実施形態では、文字板３を照射する第２の照射部９ｄと指針４を照射する第３の照射部９ｅとを一体に形成した第２の開口９ｇを設けたものである。第１の照射部９ｃと第２の開口９ｇとは、第１のケース体９ａに形成した枠体９ｈにて仕切られている。枠体９ｈは、表示素子７の周囲を囲むように形成したものであり、この枠体９ｈによって、表示素子７、光拡散シート１３およびプリズムシート１４、１５の位置決めと固定を行うことができる。なお、本実施形態も第４実施形態と同様に、第２の開口９ｇの指針４に光を照射する部分は、文字板３に覆われておらず、露出しており、導光体１１からの光を直接指針４の指示部４ａに照射するものです。
【００４５】
このように構成したことによって、文字板３及び指針４とで、個別に区切らないことで、多様な文字板意匠に対応することが可能となり、部品の共通化に寄与することができる。
【００４６】
また、前記各実施形態では、文字板３は、目盛や文字などからなる指標部３ａのみを照明していたが、この指標部３ａの他に、例えば、文字板３の周囲に設けられる装飾用のリングなどを照射する照射部を設けてもよい。この照射部には、
文字板３に光源１０の光を照射する第２の照射部９ｄを用いてもよいし、また、第２の照射部９ｄとは、別に設けてもよい。
【００４７】
なお、前記各実施形態では、表示素子７、文字板３及び指針４を全て照明していたが、本願発明は、前記各実施形態に限定されるものではなく、表示素子７、文字板３及び指針４のうち、少なくとも２つを照射するものに用いてもよい。
【図面の簡単な説明】
【００４８】
【図１】本発明の第１実施形態の指針式計器装置の正面図。
【図２】図１中Ａ−Ａ線の断面図。
【図３】同実施形態のケース体の正面図。
【図４】同発明の第２実施形態の指針式計器装置の断面図。
【図５】同実施形態のケース体の正面図。
【図６】同発明の第３実施形態の指針式計器装置の断面図。
【図７】同発明の第４実施形態の指針式計器装置の断面図。
【図８】同実施形態のケース体の正面図。
【図９】同発明の第５実施形態の指針式計器装置の断面図。
【図１０】同実施形態のケース体の正面図。
【符号の説明】
【００４９】
１    指針式計器装置
２    表示器
３    文字板
３ａ  指標部
４    指針
５    駆動装置
７    表示素子
９    ケース体
９ａ  第１のケース体
９ｂ  第２のケース体
９ｃ  第１の照射部
９ｄ  第２の照射部
９ｅ、９ｅ１、９ｅ２  第３の照射部
９ｆ  開口
９ｇ  第２の開口
１０    光源
１１    導光体
１１ａ  受光面
１１ｂ  輝度調整部
【図１】
0005229681.tif 000002
【図２】
0005229681.tif 000003
【図３】
0005229681.tif 000004
【図４】
0005229681.tif 000005
【図５】
0005229681.tif 000006
【図６】
0005229681.tif 000007
【図７】
0005229681.tif 000008
【図８】
0005229681.tif 000009
【図９】
0005229681.tif 000010
【図１０】
0005229681.tif 000011